(57)【要約】【課題】浄水設備の運転状態の記録をより確実に継続させることができるシステムを提供する。【解決手段】浄水設備監視システム１は、浄水設備４の運転状態に関する運転情報を表示する監視装置２と、運転情報を取得して記録するマスターコンピュータ１００と、マスターコンピュータ１００の運転時には、マスターコンピュータ１００に記録された運転情報を定期的に複製し、マスターコンピュータ１００の停止時には、マスターコンピュータ１００に代わって運転情報を取得して記録するスレーブコンピュータ２００と、運転情報を取得して記録し、マスターコンピュータ１００の停止後、スレーブコンピュータ２００が運転情報の取得を開始するまでに記録した運転情報をスレーブコンピュータ２００に提供する補完用コンピュータ３００と、を備える。【選択図】図１
2015191243.tif 000002
【特許請求の範囲】
【請求項１】
浄水設備の運転状態に関する運転情報を表示する監視装置と、
前記運転情報を取得して記録する第１コンピュータと、
前記第１コンピュータの運転時には、前記第１コンピュータに記録された前記運転情報を定期的に複製し、前記第１コンピュータの停止時には、前記第１コンピュータに代わって前記運転情報を取得して記録する第２コンピュータと、
前記運転情報を取得して記録し、前記第１コンピュータの停止後、前記第２コンピュータが前記運転情報の取得を開始するまでに記録した前記運転情報を前記第２コンピュータに提供する第３コンピュータと、を備える、浄水設備監視システム。
【請求項２】
前記第１コンピュータに記録された前記運転情報を前記第２コンピュータが複製する周期は、前記第１コンピュータが前記運転情報を取得する周期及び前記第３コンピュータが前記運転情報を取得する周期のそれぞれに比べ大きく、且つ前記第３コンピュータが前記運転情報を記録可能な期間に比べ小さい、請求項１記載の浄水設備監視システム。
【請求項３】
前記第３コンピュータが前記運転情報を記録可能な期間は、前記第２コンピュータが前記第１コンピュータに記録された前記運転情報を複製する周期に比べ大きく、且つ前記第１コンピュータが前記運転情報を記録可能な期間及び前記第２コンピュータが前記運転情報を記録可能な期間のそれぞれに比べ小さい、請求項１又は２記載の浄水設備監視システム。
【請求項４】
前記第１コンピュータ及び前記第２コンピュータは、前記運転情報を記録するための第１ストレージ及び第２ストレージをそれぞれ有する、請求項１〜３のいずれか一項記載の浄水設備監視システム。
【請求項５】
前記第１コンピュータ及び前記第２コンピュータはパーソナルコンピュータである、請求項１〜４のいずれか一項記載の浄水設備監視システム。
【請求項６】
前記第３コンピュータはパーソナルコンピュータである、請求項５記載の浄水設備監視システム。
【請求項７】
前記第３コンピュータは、前記第１コンピュータが停止したかどうかを示す存否情報を取得し、前記第２コンピュータに提供することを更に実行する、請求項１〜６のいずれか一項記載の浄水設備監視システム。
【請求項８】
前記第３コンピュータは、前記運転情報を表示することを更に実行する、請求項１〜７のいずれか一項記載の浄水設備監視システム。
【請求項９】
前記第３コンピュータは、クライアントコンピュータからの要求に応じて、前記運転情報を当該クライアントコンピュータに出力することを更に実行する、請求項１〜８のいずれか一項記載の浄水設備監視システム。
【発明の詳細な説明】
【技術分野】
【０００１】
本開示は、浄水設備監視システムに関する。
【背景技術】
【０００２】
浄水設備の監視システムにおいては、浄水設備の運転状態を継続的に記録することが求められる。プロセスを継続的に監視するためのシステムとして、例えば特許文献１には、マスタ側の装置とスレーブ側の装置とを備え、マスタ側の装置の停止時には、当該装置による監視をスレーブ側の装置による監視に切り替える分散型制御システムが開示されている。
【先行技術文献】
【特許文献】
【０００３】
【特許文献１】特開２００１−１６６９６７号公報
【発明の概要】
【発明が解決しようとする課題】
【０００４】
上記分散型監視システムを浄水設備における運転状態の記録に用いた場合には、マスタ側の装置が停止した後、スレーブ側の装置が動作を継続するまでの期間の運転状態を記録できない可能性がある。
【０００５】
そこで本開示は、浄水設備の運転状態の記録をより確実に継続させることができるシステムを提供することを目的とする。
【課題を解決するための手段】
【０００６】
本開示に係る浄水設備監視システムは、浄水設備の運転状態に関する運転情報を表示する監視装置と、運転情報を取得して記録する第１コンピュータと、第１コンピュータの運転時には、第１コンピュータに記録された運転情報を定期的に複製し、第１コンピュータの停止時には、第１コンピュータに代わって運転情報を取得して記録する第２コンピュータと、運転情報を取得して記録し、第１コンピュータの停止後、第２コンピュータが運転情報の取得を開始するまでに記録した運転情報を第２コンピュータに提供する第３コンピュータと、を備える。
【発明の効果】
【０００７】
本開示によれば、浄水設備の運転状態の記録をより確実に継続させることができる。
【図面の簡単な説明】
【０００８】
【図１】浄水場監視システムのハードウェア構成を示すブロック図である。
【図２】浄水場監視システムの機能的な構成を示すブロック図である。
【図３】運転情報の記録手順を示すフローチャートである。
【発明を実施するための形態】
【０００９】
以下、実施形態について、図面を参照しつつ詳細に説明する。説明において、同一要素又は同一機能を有する要素には同一の符号を付し、重複する説明を省略する。
【００１０】
図１に示すように、浄水設備監視システム１は、監視装置２と、マスターコンピュータ１００と、スレーブコンピュータ２００と、補完用コンピュータ３００とを備える。監視装置２は、制御用ネットワーク１１を介してＰＬＣ（Ｐｒｏｇｒａｍｍａｂｌｅ  Ｌｏｇｉｃ  Ｃｏｎｔｒｏｌｌｅｒ）３に接続されている。ＰＬＣ３は、浄水設備４を制御する。浄水設備４としては、例えば各種ポンプ及び薬品注入装置等が挙げられる。監視装置２は、浄水設備４の運転状態に関する情報（以下、「運転情報」という。）をＰＬＣ３から取得し、取得した運転情報を表示する。運転状態に関する情報の具体例としては、浄水プロセスに関する情報（例えば送水流量、処理槽の水位、水質等）、送水ポンプ・送風装置（ブロワ）等の動作状況に関する情報等が挙げられる。監視装置２による表示内容は、例えばオペレータによる監視に用いられる。
【００１１】
マスターコンピュータ１００（第１コンピュータ）は、例えば工業用のパーソナルコンピュータ（ＦＡＰＣ）であり、制御用ネットワーク１１及びデータ用ネットワーク１２に接続されている。ＦＡＰＣとは、自己の異常（例えば故障による停止等）を検知し、当該異常を報知する電気信号をＰＬＣに出力する機能を有するパーソナルコンピュータを意味する。ＦＡＰＣは、自己診断機能、電源断検出機能、温度上昇検出機能、冷却ファン停止検出機能、外部警報入出力機能、ハードディスクミラーリング機能等を更に有するものであってもよい。マスターコンピュータ１００は、上記運転情報をＰＬＣ３から制御用ネットワーク１１経由で取得し、記録する。
【００１２】
マスターコンピュータ１００は、プロセッサ１１１と、メモリー１１２と、入出力部１１３と、ストレージ１１４と、異常検出回路１１５と、これらを接続するバス１１６とを有する。入出力部１１３は、制御用ネットワーク１１及びデータ用ネットワーク１２に接続されており、これらのネットワークを経由したデータの入出力を行う。異常検出回路１１５はＰＬＣ３に接続されている。
【００１３】
異常検出回路１１５は、故障に起因する停止等、マスターコンピュータ１００の異常を検知し、当該異常を報知する情報を電気信号としてＰＬＣ３に出力する。ＰＬＣ３は、異常検出回路１１５からの情報を取得し、この情報を、制御用ネットワーク１１を介して監視装置２、スレーブコンピュータ２００等に出力する。このように、マスターコンピュータ１００の異常を報知する情報は、ＰＬＣ３を経由して監視装置２及びスレーブコンピュータ２００に取得されるがこれに限られない。例えば、監視装置２及びスレーブコンピュータ２００は、異常検出回路１１５からの電気信号を直接受信してもよい。
【００１４】
ストレージ１１４（第１ストレージ）は、実行用のプログラム及び上記運転情報等を記録する。プロセッサ１１１は、メモリー１１２及びストレージ１１４の少なくとも一方と協働してプログラムを実行し、入出力部１１３を介したデータの入出力を行う。これにより、マスターコンピュータ１００の様々な機能が実現される。
【００１５】
スレーブコンピュータ２００（第２コンピュータ）は、例えばＦＡＰＣであり、制御用ネットワーク１１及びデータ用ネットワーク１２に接続されている。マスターコンピュータ１００の運転時において、スレーブコンピュータ２００は、マスターコンピュータ１００に記録された上記運転情報をデータ用ネットワーク１２経由で定期的に複製する。マスターコンピュータ１００の停止時において、スレーブコンピュータ２００は、マスターコンピュータ１００に代わって、上記運転情報をＰＬＣ３から制御用ネットワーク１１経由で取得し、記録する。
【００１６】
スレーブコンピュータ２００は、プロセッサ２１１と、メモリー２１２と、入出力部２１３と、ストレージ２１４と、異常検出回路２１５と、これらを接続するバス２１６とを有する。入出力部２１３は、制御用ネットワーク１１及びデータ用ネットワーク１２に接続されており、これらのネットワークを経由したデータの入出力を行う。異常検出回路２１５はＰＬＣ３に接続されている。
【００１７】
異常検出回路２１５は、故障に起因する停止等、スレーブコンピュータ２００の異常を検知し、当該異常を報知する情報を電気信号としてＰＬＣ３に出力する。ＰＬＣ３は、異常検出回路２１５からの情報を取得し、この情報を、制御用ネットワーク１１を介して監視装置２に出力する。このように、スレーブコンピュータ２００の異常を報知する情報は、ＰＬＣ３を経由して監視装置２に取得されるがこれに限られない。例えば、監視装置２は、異常検出回路２１５からの電気信号を直接受信してもよい。
【００１８】
ストレージ２１４（第２ストレージ）は、実行用のプログラム及び上記運転情報等を記録する。プロセッサ２１１は、メモリー２１２及びストレージ２１４の少なくとも一方と協働してプログラムを実行し、入出力部２１３を介したデータの入出力を行う。これにより、スレーブコンピュータ２００の様々な機能が実現される。
【００１９】
補完用コンピュータ３００（第３コンピュータ）は、例えばＦＡＰＣであり、制御用ネットワーク１１及びデータ用ネットワーク１２に接続されている。補完用コンピュータ３００は、上記運転情報をＰＬＣ３から制御用ネットワーク１１経由で取得し、記録する。補完用コンピュータ３００は、マスターコンピュータ１００の停止後、スレーブコンピュータ２００が運転情報の取得を開始するまでに記録した運転情報をデータ用ネットワーク１２経由でスレーブコンピュータ２００に提供する。
【００２０】
補完用コンピュータ３００は、プロセッサ３１１と、メモリー３１２と、入出力部３１３と、ストレージ３１４と、異常検出回路３１５と、これらを接続するバス３１６とを有する。入出力部３１３は、制御用ネットワーク１１及びデータ用ネットワーク１２に接続されており、これらのネットワークを経由したデータの入出力を行う。
【００２１】
異常検出回路３１５はＰＬＣ３に接続されている。異常検出回路３１５は、故障に起因する停止等、補完用コンピュータ３００の異常を検知し、当該異常を報知する情報を電気信号としてＰＬＣ３に出力する。ＰＬＣ３は、異常検出回路３１５からの情報を取得し、この情報を、制御用ネットワーク１１を介して監視装置２に出力する。このように、補完用コンピュータ３００の異常を報知する情報は、ＰＬＣ３を経由して監視装置２に取得されるがこれに限られない。例えば、監視装置２は、異常検出回路３１５からの電気信号を直接受信してもよい。
【００２２】
ストレージ３１４は、実行用のプログラム及び上記運転情報等を記録する。プロセッサ３１１は、メモリー３１２及びストレージ３１４の少なくとも一方と協働してプログラムを実行し、入出力部３１３を介したデータの入出力を行う。これにより、補完用コンピュータ３００の様々な機能が実現される。
【００２３】
なお、以上に示したマスターコンピュータ１００、スレーブコンピュータ２００及び補完用コンピュータ３００のハードウェア構成は一例に過ぎない。マスターコンピュータ１００、スレーブコンピュータ２００及び補完用コンピュータ３００は、上述した機能をそれぞれ実現可能なコンピュータであればどのようなものであってもよい。例えば補完用コンピュータ３００は、必ずしもストレージ３１４を有しなくてよい。補完用コンピュータ３００がストレージ３１４を有しない場合、実行用のプログラム及び上記運転情報等はメモリー３１２に記録される。
【００２４】
図２は、マスターコンピュータ１００、スレーブコンピュータ２００及び補完用コンピュータ３００の各機能を仮想的な構成要素（以下、「機能ブロック」という。）として示した図である。これらの機能ブロックは、マスターコンピュータ１００、スレーブコンピュータ２００及び補完用コンピュータ３００の機能を便宜上複数のブロックに区切ったものに過ぎず、ハードウェアがこのようなブロックに分かれていることを意味するものではない。また、各機能ブロックは、必ずしもプログラムの実行により実現されていなくてよく、所定の動作に特化した回路素子（例えば論理ＩＣ）により実現されていてもよい。
【００２５】
マスターコンピュータ１００は、機能ブロックとして、データベース１２１と、データ取得部１２２と、データ出力部１２３と、複製用データ出力部１２４と、異常報知部１２５とを有する。
【００２６】
データベース１２１は、時刻と上記運転情報とを関連付けて記録する。データ取得部１２２は、運転情報をＰＬＣ３から取得してデータベース１２１に記録する。データ出力部１２３は、監視装置２からの要求に応じ、データベース１２１に記録された運転情報を監視装置２に出力する。複製用データ出力部１２４は、データベース１２１に記録された運転情報を複製用にスレーブコンピュータ２００に出力する。異常報知部１２５は、異常検出回路１１５により構成され、マスターコンピュータ１００の異常を報知する情報を出力する。この情報は監視装置２により取得され、表示される。
【００２７】
スレーブコンピュータ２００は、機能ブロックとして、データベース２２１と、複製用データ取得部２２２と、マスター異常検知部２２３と、補完用データ取得部２２４と、データ取得部２２５と、データ出力部２２６と、異常報知部２２７とを有する。
【００２８】
データベース２２１は、時刻と上記運転情報とを関連付けて記録する。複製用データ取得部２２２は、複製用データ出力部１２４により出力された運転情報を取得し、データベース２２１に記録する。すなわち、複製用データ取得部２２２は、複製用データ出力部１２４と協働して運転情報の複製を行う。マスター異常検知部２２３は、異常報知部１２５から出力された信号に基づいてマスターコンピュータ１００の異常停止を検知する。補完用データ取得部２２４は、マスターコンピュータ１００の停止後、スレーブコンピュータ２００が運転情報の取得を開始するまでに記録された運転情報を補完用コンピュータ３００から取得する。データ取得部２２５は、マスターコンピュータ１００の停止後に、運転情報をＰＬＣ３から取得してデータベース２２１に記録する。データ出力部２２６は、監視装置２からの要求に応じ、データベース２２１に記録された運転情報を監視装置２に出力する。異常報知部２２７は、スレーブコンピュータ２００の異常を報知する情報を出力する。この情報は監視装置２により取得され、表示される。
【００２９】
補完用コンピュータ３００は、機能ブロックとして、補完用バッファ３２１と、データ取得部３２２と、補完用データ出力部３２３と、異常報知部３２４とを有する。
【００３０】
補完用バッファ３２１は、時刻と上記運転情報とを関連付けて記録する。データ取得部３２２は、運転情報をＰＬＣ３から取得して補完用バッファ３２１に記録する。補完用データ出力部３２３は、マスターコンピュータ１００の停止後、スレーブコンピュータ２００が運転情報の取得を開始するまでに補完用バッファ３２１に記録された運転情報を補完用データ取得部２２４に出力する。異常報知部３２４は、補完用コンピュータ３００の異常を報知する情報を出力する。この情報は監視装置２により取得され、表示される。
【００３１】
なお、複製用データ取得部２２２が運転情報の複製を実行する周期は、データ取得部１２２が運転情報を取得する周期及びデータ取得部３２２が運転情報を取得する周期のそれぞれに比べ大きく、且つ補完用バッファ３２１が運転情報を記録可能な期間に比べ小さい。すなわち、マスターコンピュータ１００に記録された運転情報をスレーブコンピュータ２００が複製する周期は、マスターコンピュータ１００が運転情報を取得する周期及び補完用コンピュータ３００が運転情報を取得する周期のそれぞれに比べ大きく、且つ補完用コンピュータ３００が運転情報を記録可能な期間に比べ小さい。
【００３２】
補完用バッファ３２１が運転情報を記録可能な期間は、データベース１２１が運転情報を記録可能な期間及びデータベース２２１が運転情報を記録可能な期間のそれぞれに比べ小さい。すなわち、補完用コンピュータ３００が運転情報を記録可能な期間は、スレーブコンピュータ２００がマスターコンピュータ１００に記録された運転情報を複製する周期に比べ大きく、且つマスターコンピュータ１００が運転情報を記録可能な期間及びスレーブコンピュータ２００が運転情報を記録可能な期間のそれぞれに比べ小さい。補完用バッファ３２１が運転情報を記録可能な期間は、ストレージ３１４及びメモリー３１２の少なくとも一方の記憶容量に基づいて定まる。
【００３３】
データ取得部１２２が運転情報を取得する周期及びデータ取得部３２２が運転情報を取得する周期のそれぞれは、例えば１秒である。複製用データ取得部２２２が運転情報の複製を実行する周期は、例えば２〜５分である。補完用バッファ３２１が運転情報を記録可能な期間は例えば５〜１０分である。
【００３４】
続いて、マスターコンピュータ１００、スレーブコンピュータ２００及び補完用コンピュータ３００により実行される上記運転情報の記録手順について説明する。図３は、運転情報の取得及び記録がマスターコンピュータ１００からスレーブコンピュータ２００に引き継がれるまでの手順を示す。
【００３５】
図３に示すように、マスターコンピュータ１００は、データ取得部１２２による運転情報の取得及び記録をデータ取得周期（例えば１秒）ごとに繰り返す（ステップＳ０１，Ｓ０２）。
【００３６】
補完用コンピュータ３００は、データ取得部３２２による運転情報の取得及び記録をデータ取得周期（例えば１秒）ごとに繰り返す（ステップＳ０３，Ｓ０４）。
【００３７】
スレーブコンピュータ２００は、マスターコンピュータ１００の異常停止を報知する情報が出力されているかどうかをマスター異常検知部２２３により確認する（ステップＳ０５）。マスターコンピュータ１００の異常停止を報知する情報の出力が確認されない場合、スレーブコンピュータ２００は、複製周期（例えば２〜５分）の経過を待機する（ステップＳ０６）。複製周期が経過すると、スレーブコンピュータ２００は、マスターコンピュータ１００により記録された運転情報を複製する（ステップＳ０７）。すなわち、複製用データ取得部２２２が複製用データ出力部１２４と協働して運転情報の複製を実行する。運転情報の複製が完了すると、スレーブコンピュータ２００は手順をステップＳ０５に戻す。このようにして、スレーブコンピュータ２００は、マスターコンピュータ１００の異常停止の確認と、運転情報の複製とを定期的に（複製周期ごとに）繰り返す。
【００３８】
ステップＳ０５において、マスターコンピュータ１００の異常停止を報知する情報の出力が確認された場合、スレーブコンピュータ２００は、データ取得部２２５による運転情報の取得及び記録を開始し、これをデータ取得周期（例えば１秒）ごとに繰り返す（ステップＳ０８，Ｓ０９）。
【００３９】
スレーブコンピュータ２００は、運転情報の取得及び記録に並行して、データベース２２１の運転情報の補完を実行する（ステップＳ１０）。具体的に、スレーブコンピュータ２００は、マスターコンピュータ１００における運転情報の記録が停止した直後から、スレーブコンピュータ２００における運転情報の記録が開始する直前までに補完用コンピュータ３００において記録された運転情報を補完用データ取得部２２４により取得し、データベース２２１に記録する。補完用コンピュータ３００の補完用データ出力部３２３は、補完に必要な運転情報を例えば時刻情報に基づいて特定し、補完用データ取得部２２４に出力する。時刻情報は、例えばマスターコンピュータ１００における運転情報の記録が停止した時刻及びスレーブコンピュータ２００における運転情報の記録が開始した時刻であり、データベース２２１を参照することで特定可能である。
【００４０】
ステップＳ１０において、データベース２２１の運転情報が補完されると、運転情報の取得及び記録の引継ぎが完了する。以後、スレーブコンピュータ２００により運転情報の取得及び記録が継続される。
【００４１】
以上に説明した浄水設備監視システム１によれば、マスターコンピュータ１００の運転時には、マスターコンピュータ１００によって運転情報が記録され、記録された運転情報が定期的にスレーブコンピュータ２００に複製される（以下、運転情報を複製する周期を「複製周期」という。）。マスターコンピュータ１００の停止時には、スレーブコンピュータ２００によって運転情報の記録が継続される。マスターコンピュータ１００が停止した後、スレーブコンピュータ２００が運転情報の記録を再開するまでの間には、運転情報を記録できない空白期間が生じる。これに対し、補完用コンピュータ３００により記録された運転情報を用いて上記空白期間の運転情報を補完できる。従って、浄水設備の運転状態の記録をより確実に継続させることができる。
【００４２】
また、補完用コンピュータ３００が無い場合に比べ、複製周期を長くしつつ、運転情報の記録の欠落を減らすことができる。複製周期を長くすることで、マスターコンピュータ１００及びスレーブコンピュータ２００の負荷が軽減される。このため、汎用的なコンピュータをマスターコンピュータ１００及びスレーブコンピュータ２００として採用し得る。一方、補完用コンピュータ３００は、上記空白期間を補うのに必要な情報量を記録できるものであればよい。このため、マスターコンピュータ１００及びスレーブコンピュータ２００に比べ更に汎用的なコンピュータを補完用コンピュータ３００として採用し得る。従って、採用実績の豊富な汎用コンピュータをマスターコンピュータ１００、スレーブコンピュータ２００及び補完用コンピュータ３００として採用し、記録の継続の確実性を更に高めることができる。なお、汎用コンピュータを採用することは、システムのコスト削減にも寄与し得る。
【００４３】
複製周期は、マスターコンピュータ１００が運転情報を取得する周期及び補完用コンピュータ３００が運転情報を取得する周期のそれぞれに比べ大きく、且つ補完用コンピュータ３００が運転情報を記録可能な期間に比べ小さい。補完用コンピュータ３００が運転情報を記録可能な期間に比べて複製周期を小さくすることで、上記空白期間の長さを抑制し、上記空白期間の運転情報をより確実に補完できる。このため、運転状態の記録をより確実に継続させることができる。また、マスターコンピュータ１００が運転情報を取得する周期及び補完用コンピュータ３００が運転情報を取得する周期のそれぞれに比べ複製周期を大きくすることで、マスターコンピュータ１００及びスレーブコンピュータ２００の負荷を確実に軽減できる。このため、汎用的なコンピュータをマスターコンピュータ１００及びスレーブコンピュータ２００として採用し、記録の継続の確実性を更に高めると共に、コスト削減を図ることができる。
【００４４】
補完用コンピュータ３００が運転情報を記録可能な期間は、複製周期に比べ大きく、且つマスターコンピュータ１００が前記運転情報を記録可能な期間及びスレーブコンピュータ２００が運転情報を記録可能な期間のそれぞれに比べ小さい。補完用コンピュータ３００が運転情報を記録可能な期間を複製周期に比べて大きくすることで、上記空白期間の運転情報を補完するのに十分な情報を補完用コンピュータ３００に記録できる。このため、運転状態の記録をより確実に継続させることができる。また、補完用コンピュータ３００が運転情報を記録可能な期間をマスターコンピュータ１００が運転情報を記録可能な期間及びスレーブコンピュータ２００が運転情報を記録可能な期間のそれぞれに比べ小さくすることで、更に汎用的なコンピュータを補完用コンピュータ３００として採用し、コスト削減を図ることができる。
【００４５】
マスターコンピュータ１００及びスレーブコンピュータ２００は、運転情報を記録するためのストレージ１１４，２１４をそれぞれ有する。このようにストレージを冗長化させることで、運転状態の記録をより確実に継続させることができる。
【００４６】
なお、補完用コンピュータ３００は、マスターコンピュータ１００が停止したかどうかを示す存否情報を取得し、スレーブコンピュータ２００に提供することを更に実行するものであってもよい。補完用コンピュータ３００は、運転情報を表示することを更に実行するものであってもよい。補完用コンピュータ３００は、クライアントコンピュータからの要求に応じて、運転情報を当該クライアントコンピュータに出力することを更に実行するものであってもよい。これらの構成により、補完用コンピュータ３００を有効活用できる。
【００４７】
補完用コンピュータ３００が運転情報を記録可能な期間は、マスターコンピュータ１００及びスレーブコンピュータ２００の両方が異常停止した場合に備えて設定されていてもよい。例えば、１０日以内に修理が完了することを想定し、上記期間を１０日以上に設定してもよい。
【００４８】
以上、実施形態について説明してきたが、本発明は必ずしも上述した実施形態に限定されるものではなく、その要旨を逸脱しない範囲で様々な変更が可能である。
【符号の説明】
【００４９】
１…浄水設備監視システム、２…監視装置、４…浄水設備、１００…マスターコンピュータ（第１コンピュータ）、２００…スレーブコンピュータ（第２コンピュータ）、３００…補完用コンピュータ（第３コンピュータ）。
【図１】
2015191243.tif 000003
【図２】
2015191243.tif 000004
【図３】
2015191243.tif 000005